(57)【要約】【課題】土台と柱及び桁で構成された壁軸組みの耐震強度を向上させることができ、しかも、構造が簡単で施工性に優れた壁軸組の耐震補強構造を提供する。【解決手段】土台３と一方柱４ａのコーナ及び桁材５と一方柱４ａのコーナに沿ってそれぞれ固定するコーナ金具６と、他方柱４ｂの途中に固定する中間金具７と、一方柱４ａと他方柱４ｂ間において、前記コーナ金具６と中間金具７の間に傾斜状態で配置する上部筋交い部材８と下部筋交い部材８ａからなり、前記筋交い部材８、８ａとコーナ金具６をボルトの締結で結合し、前記筋交い部材８、８ａと中間金具７をボルトの締結で結合し、前記中間金具７は、その側板間の対向間隔を、他方柱４ｂとの結合用ボルト３３の頭部が回り止め状態で収まる幅に設定している。【選択図】図１
0003124832.tif 000002
【実用新案登録請求の範囲】
【請求項１】
土台と一方柱のコーナ及び桁材と一方柱のコーナに沿ってそれぞれ配置されるＬ型ベースの両面に側板を設けて形成され、土台と一方柱のコーナ及び桁材と一方柱のコーナに沿って配置した状態でボルトによって固定するコーナ金具と、
他方柱の外面に重ねるベース板の外面に対向する側板を設けて形成され、他方柱とベース板を貫通する結合ボルトで他方柱の途中に固定する中間金具と、
一方の端部に長さ調整のための接続環をねじで取付け、他方端部に横孔を設けて形成され、一方柱と他方柱間において、前記コーナ金具と中間金具の間に傾斜状態で配置する筋交い部材とからなり、
前記筋交い部材とコーナ金具を、コーナ金具の側板間に筋交い部材の接続環を嵌め込み、この嵌め込み部分を貫通するボルトの締結で結合し、
前記筋交い部材と中間金具を、中間金具の側板間に筋交い部材の端部を嵌め込み、横孔を貫通するボルトの締結で結合し、
前記中間金具は、その側板間の対向間隔が、他方柱との結合ボルトの頭部が回り止め状態で収まる幅に設定されている壁軸組の耐震補強構造。
【請求項２】
上記コーナ金具を、一方柱の上下において、土台とのコーナ及び桁材とのコーナに沿ってボルトで固定し、上記中間金具を他方柱の中間部で一方柱と対向する面にボルトで固定し、上部のコーナ金具と中間金具の間に上部筋交い部材と、中間金具と下部のコーナ金具の間に下部筋交い部材を、上部筋交い部材と下部筋交い部材が逆傾斜の配置になるよう架設した請求項１に記載の壁軸組の耐震補強構造。
【請求項３】
上記他方柱の土台及び桁材とのコーナ部分を、このコーナ部分に沿わせるＬ型の柱抜け防止金具とボルトによって結合した請求項１又は２に記載の壁軸組の耐震補強構造。
【請求項４】
上記コーナ金具のＬ型ベースにおける柱への重なり面で、柱との結合ボルトの貫通部分に、柱に形成した凹部に収まるブロックを固定した請求項１乃至３の何れかに記載の壁軸組の耐震補強構造。
【請求項５】
上記中間金具のベース板における柱への重なり面で、柱との結合ボルトの貫通部分に、柱に形成した凹部に収まるブロックを固定した請求項１乃至４の何れかに記載の壁軸組の耐震補強構造。
【請求項６】
上記土台と柱及び桁材が木製であり、上記筋交い部材は、鋼管の両端に端部ブロックを固定し、一方の端部側に固定した端部ブロックに鋼管の軸線に沿うねじ孔を設けてこのねじ孔に接続環を螺合し、他方の端部に固定した端部ブロックに横孔を設けて形成されている請求項１乃至５の何れかに記載の壁軸組の耐震補強構造。
【考案の詳細な説明】
【技術分野】
【０００１】
この考案は、木造建築の耐震強度を向上させるため、隣接する柱間に筋交いを設けて壁軸組の強度を向上させることができる壁軸組の耐震補強構造に関する。
【背景技術】
【０００２】
木造建築において、その耐震強度を向上させるため、隣接する柱間に筋交いを設けて壁軸組の強度を向上させることはすでに行われている。
【０００３】
木造建築の壁軸組とこの壁軸組に設ける筋交いの一般的な構造は、基礎上に設けた土台の上に複数の柱を立設し、柱の上端で桁を水平に支持することにより壁軸組を組み、筋交いは、隣接する柱と土台及び桁で形成された矩形枠の内側で、上下一組の対角位置に一本の筋交いを傾斜させて設けるか、上下二組の対角位置に二本の筋交いをクロス状に設けるようにしている。
【０００４】
従来、土台と柱のコーナ及び桁材と柱のコーナに対する筋交い端部の固定は、かすがいによる結合や通しボルトとナットの締結による結合構造が採用されていたが、このような構造は強度的に弱いため、土台と柱のコーナ及び桁材と柱のコーナにＬ型の取付け金具をボルトで固定し、対角位置にある取付け金具の間に筋交いを傾斜状に配置する筋交い取付け構造が提案されている。
【考案の開示】
【考案が解決しようとする課題】
【０００５】
ところで、土台と柱及び桁で構成された壁軸組みの強度向上のために、対角位置に筋交いを傾斜状に架設する従来の構造は、施工に手間がかかるだけでなく、横揺れに対する強度向上に不安があり、完全なものとはいえないと共に、縦揺れに対する柱抜けの危険性もある。
【０００６】
そこで、この考案の課題は、土台と柱及び桁で構成された壁軸組みの耐震強度を向上させることができ、しかも、構造が簡単で施工性に優れた壁軸組の耐震補強構造を提供することにある。
【課題を解決するための手段】
【０００７】
上記のような課題を解決するため、この考案は、土台と一方柱のコーナ及び桁材と一方柱のコーナに沿ってそれぞれ配置されるＬ型ベースの両面に側板を設けて形成され、土台と一方柱のコーナ及び桁材と一方柱のコーナに沿って配置した状態でボルトによって固定するコーナ金具と、他方柱の外面に重ねるベース板の外面に対向する側板を設けて形成され、他方柱とベース板を貫通する結合ボルトで他方柱の途中に固定する中間金具と、一方の端部に長さ調整のための接続環をねじで取付け、他方端部に横孔を設けて形成され、一方柱と他方柱間において、前記コーナ金具と中間金具の間に傾斜状態で配置する筋交い部材とからなり、前記筋交い部材とコーナ金具を、コーナ金具の側板間に筋交い部材の接続環を嵌め込み、この嵌め込み部分を貫通するボルトの締結で結合し、前記筋交い部材と中間金具を、中間金具の側板間に筋交い部材の端部を嵌め込み、横孔を貫通するボルトの締結で結合し、前記中間金具は、その側板間の対向間隔が、他方柱との結合ボルトの頭部が回り止め状態で収まる幅に設定されている構成を採用したものである。
【０００８】
上記コーナ金具を、一方柱の上下において、土台とのコーナ及び桁材とのコーナに沿ってボルトで固定し、上記中間金具を他方柱の中間部で一方柱と対向する面にボルトで固定し、上部のコーナ金具と中間金具の間に上部筋交い部材と、中間金具と下部のコーナ金具の間に下部筋交い部材を、上部筋交い部材と下部筋交い部材が逆傾斜の配置になるよう架設した構造とすることができる。
【０００９】
上記他方柱の土台及び桁材とのコーナ部分を、このコーナ部分に沿わせるＬ型の柱抜け防止金具とボルトによって結合するようにしてもよい。
【００１０】
また、上記コーナ金具のＬ型ベースにおける柱への重なり面で、柱との結合ボルトの貫通部分に、柱に形成した凹部に収まるブロックを固定したり、上記中間金具のベース板における柱への重なり面で、柱との結合ボルトの貫通部分に、柱に形成した凹部に収まるブロックを固定することができる。
【００１１】
更に、上記土台と柱及び桁材が木製であり、上記筋交い部材は、鋼管の両端に端部ブロックを固定し、一方の端部側に固定した端部ブロックに鋼管の軸線に沿うねじ孔を設けてこのねじ孔に接続環を螺合し、他方の端部に固定した端部ブロックに横孔を設けて形成されているようにしてもよい。
【００１２】
ここで、上記土台と両側の柱及び桁材で形成された枠状空間に対して、上部筋交い部材と下部筋交い部材は、一方柱の上下と他方柱の途中を結合する正面視「く」字状の配置となり、これによって、土台と両側の柱及び桁材で形成された壁軸組の横揺れに対する補強となって耐震強度を向上させ、コーナ金具が一方柱と土台及び桁材を結合することで、柱抜けの発生を防ぐことができる。
【００１３】
また、他方柱と土台及び桁材を柱抜け防止金具とボルトによって結合することにより、柱抜けの発生を防ぐことができる。
【考案の効果】
【００１４】
この考案によると、土台と一方柱のコーナ及び桁材と一方柱のコーナをコーナ金具で結合し、他方柱の途中に中間金具を固定し、前記コーナ金具と中間金具の間に筋交い部材を傾斜状態で配置して結合したので、コーナ金具と中間金具及び筋交い部材によって土台と柱及び桁で構成された壁軸組みの耐震強度を向上させることができ、壁軸組の横揺れに対する補強となって耐震強度を向上させ、しかも、コーナ金具が柱抜けの役目を果たすことになる。
【００１５】
また、土台と一方柱及び桁に対するコーナ金具の固定、他方柱に対する中間金具の固定と、コーナ金具と中間金具に対する筋交い部材の結合にボルト、ナットが用いられるが、中間金具の側板間の対向間隔を、他方柱との結合ボルトの頭部が回り止め状態で収まる幅に設定することにより、ボルトに対するナットの螺締め時にボルトは回り止め状態となり、ボルト、ナットによる締結作業の能率向上が図れることになる。
【００１６】
更に、他方柱の土台及び桁材とのコーナ部分を、Ｌ型の柱抜け防止金具とボルトによって結合すると、地震の縦揺れに対する柱抜けの防止が確実となり、一段と耐震強度を向上させることができる。
【考案を実施するための最良の形態】
【００１７】
以下、この考案の実施の形態を図示例と共に説明する。
【００１８】
図１のように、木造建築の壁軸組みは、基礎１の上にアンカーボルト２で固定した土台３と、この土台３上に所定の間隔で立設した柱４と、各柱４の上端で支持した桁材５とで組み立てられ、木製柱４の下端と土台３及び柱４の上端と桁材５の結合は、周知のホゾとホゾ孔の嵌め合わせ構造になっている。
【００１９】
上記壁軸組の耐震補強構造は、土台３と一方柱４ａのコーナ及び桁材５と一方柱４ａのコーナに沿ってそれぞれ固定するコーナ金具６と、他方柱４ｂの途中に固定する中間金具７と、一方柱４ａと他方柱４ｂ間において、前記上部コーナ金具６と中間金具７の間に傾斜状態で配置する上部筋交い部材８及び下部コーナ金具６と中間金具７の間に傾斜状態で配置する下部筋交い部材８ａの組み合わせによって形成され、他方柱４ｂの下端と土台３及び他方柱４ｂの上端と桁材５を結合する柱抜け防止金具９が別途用意されている。
【００２０】
上記コーナ金具６は、図２のように、土台３と一方柱４ａのコーナ及び桁材５と一方柱４ａのコーナに沿ってそれぞれ配置されるＬ型ベース１０の両面に側板１１を設けて形成され、Ｌ型ベース１０の水平板１０ａと垂直板１０ｂの上端部にボルト孔１２、１３が設けられ、両側板１１の先端部にもボルト孔１４が設けられている。
【００２１】
図３のように、上記Ｌ型ベース１０の垂直板１０ｂにおける背面でボルト孔１３が設けてある部分の背面には、ボルト孔１５を備えた角型のブロック１６が溶接によって固定され、Ｌ型ベース１０による土台３と一方柱４ａ及び桁材５と一方柱４ａの結合時に、一方柱４ａにはブロック１６が収まる凹部１７が設けられる。
【００２２】
図３は、上記コーナ金具６を用いて土台３と一方柱４ａを結合した状態を示し、Ｌ型ベース１０を土台３と一方柱４ａのコーナに沿って配置し、水平板１０ａのボルト孔１２を通したアンカーボルト２にナット１８を螺締めし、一方柱４ａに設けた横孔１９を貫通させたボルト２０をブロック１６から垂直板１０ｂのボルト孔１３に通し、このボルト２０にナット２１を螺合して締め付ければ、コーナ金具６は、土台３と一方柱４ａをコーナ部分において水平及び垂直方向の何れに対しても結合することになる。
【００２３】
なお、一方柱４ａに設けた横孔１９を貫通させたボルト２０で垂直板１０ｂと一方柱４ａを結合するとき、一方柱４ａの凹部１７にブロック１６が収まるようにすることで、ボルト２０、ナット２１の締め付け力から一方柱４ａを保護することができることになる。
【００２４】
なお、コーナ金具６による一方柱４ａと桁材５の結合は、図３に示した土台３の場合と配置が上下に反転し、図１のように、水平板１０ａを桁材５にボルト、ナット２２で結合することになる。
【００２５】
上記中間金具７は、図４のように、他方柱４ｂの外面に重ねる上下に長いベース板２３の外面に、取付け板２４の両側に対向する一対の側板２５を設けた平面コ字状金具２６を溶接して形成され、ベース板２３と取付け板２４には、上下の中間で両側板２５間の位置にボルト孔２７が設けられ、ベース板２３の背面には、ボルト孔２８を備えた角型のブロック２９が溶接によって固定され、両側板２５の上部と下部の位置には、それぞれボルト孔３０が設けられている。
【００２６】
図５は、上記中間金具７の他方柱４ｂに対する固定状態を示し、他方柱４ｂに貫通する水平の横孔３１と凹部３２を設け、中間金具７を他方柱４ｂに重ねて凹部３２にブロック２９を嵌めた状態で、側板２５間に挿入したボルト３３をボルト孔２７、２８から横孔３１に通し、他方柱４ｂを貫通したボルト３３にナットを螺合して締め付けることにより、他方柱４ｂに中間金具７を固定する。
【００２７】
ここで、平面コ字状金具２６の両側板２５の対向間隔Ｗは、図５（ｂ）のように、ボルト３３の六角頭部３３ａにおける平行片が丁度収まって回り止めとなるように設定され、これにより、ナットの締め付け時にボルト３３の供回り発生を防ぐことができ、締結作業が省力的に能率よく行えることになる。
【００２８】
なお、他方柱４ｂの外面には、ベース板２３の収まる浅い凹部３４を設け、ナットの締め付け時に中間金具７の回り止めが得られるようにしている。
【００２９】
上記上部筋交い部材８と下部筋交い部材８ａは、鋼管３５の両端に端部ブロック３６、３７を嵌め込んで溶接固定し、図４のように、一方の端部側に固定した端部ブロック３６に鋼管の軸線に沿うねじ孔３８を設けてこのねじ孔３８に先端がボルト挿通部となる接続環３９を螺合し、図２のように、他方の端部に固定した端部ブロック３７にボルト挿通用の横孔４０を設けて形成されている。
【００３０】
この上部筋交い部材８と下部筋交い部材８ａのコーナ金具６との結合は、図２と図３のように、コーナ金具６の側板１１間に上部筋交い部材８と下部筋交い部材８ａの他方の端部を嵌め込み、ボルト孔１４と横孔４０に挿通したボルト４１とこれに螺合したナット４２の締結によって固定化する。
【００３１】
また、上部筋交い部材８と下部筋交い部材８ａの中間金具７との結合は、図４と図５のように、中間金具７の側板２５間に上部筋交い部材８と下部筋交い部材８ａの一方端部に固定した接続環３９を嵌め込み、ボルト孔３０と接続環３９に挿通したボルト４３とこれに螺合したナット４４の締結によって固定化する。
【００３２】
このとき、上部筋交い部材８と下部筋交い部材８ａは、接続環３９を回転させることにより長さの調整が可能になり、コーナ金具６と中間金具７を緊張状態で結合するように長さを調整して使用する。
【００３３】
上記のように、コーナ金具６を用いて土台３と一方柱４ａ及び一方柱４ａと桁材５を結合し、他方柱４ｂの途中に中間金具７を固定し、上部筋交い部材８で上部コーナ金具６と中間金具７を、また、下部筋交い部材８ａで下部コーナ金具６と中間金具７を結合すれば、上記土台３と両側の柱４及び桁材５で形成された枠状空間に対して、上部筋交い部材８と下部筋交い部材８ａは、一方柱４ａの上下と他方柱４ｂの途中を結合する正面視「く」字状の配置となり、これによって、土台３と両側の柱４及び桁材５で形成された壁軸組の横揺れに対する補強となって耐震強度を向上させ、コーナ金具６が一方柱４ａと土台３及び桁材５を結合することで、柱抜けの発生を防ぐことができる。
【００３４】
なお、他方柱４ｂの下端と土台３及び他方柱４ｂの上端と桁材５を結合する柱抜け防止金具９は、それぞれのコーナに沿うようＬ型に形成され、この柱抜け防止金具９とアンカーボルト２及びボルトを用い、図１のように、他方柱４ｂの下端と土台３及び他方柱４ｂの上端と桁材５を結合することにより、柱抜けの発生を防ぐことができることになり、耐震補強構造と共に壁軸組み構造の耐震強度を向上させることができる。
【図面の簡単な説明】
【００３５】
【図１】この考案に係る耐震補強構造の使用状態を示す縦断正面図
【図２】耐震補強構造のコーナ金具と下部筋交い部材の分解斜視図
【図３】（ａ）は耐震補強構造のコーナ金具と下部筋交い部材の結合状態を示す縦断正面図、（ｂ）は同縦断側面図
【図４】耐震補強構造の中間金具と上下部筋交い部材の分解斜視図
【図５】（ａ）は耐震補強構造の中間金具と上下部筋交い部材の結合状態を示す縦断正面図、（ｂ）は同側面図
【符号の説明】
【００３６】
１        基礎
２        アンカーボルト
３        土台
４        柱
５        桁材
６        コーナ金具
７        中間金具
８        上部筋交い部材
８ａ      下部筋交い部材
９        柱抜け防止金具
【図１】
0003124832.tif 000003
【図２】
0003124832.tif 000004
【図３】
0003124832.tif 000005
【図４】
0003124832.tif 000006
【図５】
0003124832.tif 000007